(57)【特許請求の範囲】
【請求項１】
ネットワークを介して記憶装置に接続可能な端末と画像読取装置とを備える画像読取システムであって、
前記画像読取装置は、
前記画像読取装置による画像読み取りによって生成されるスキャンデータを前記記憶装置に記憶するためのジョブの内容を格納するデータファイルであるスキャンジョブチケットを前記端末から受信するスキャンジョブチケット受信部と、
前記受信に応じて前記ジョブを起動するための起動操作を入力する起動操作入力部と、
前記起動操作の入力に応じて前記画像読み取りを行って前記スキャンデータを生成するスキャンデータ生成部と、
前記生成されたスキャンデータを前記端末に送信するスキャンデータ格納処理部と、
を有し、
前記端末は、
前記スキャンジョブチケットを生成するスキャンジョブチケット生成部と、
前記スキャンジョブチケットを前記端末から前記画像読取装置に送信するスキャンジョブチケット送信部と、
を有し、
前記端末は、前記記憶装置においてＬａｎｍａｎＳｅｒｖｅｒが作動中であるか否かを確認し、前記ＬａｎｍａｎＳｅｒｖｅｒが作動中でない場合には、前記記憶装置に前記ＬａｎｍａｎＳｅｒｖｅｒを起動させるとともに、前記画像読取装置から受信した前記スキャンデータを前記記憶装置に格納する画像読取システム。
【請求項２】
請求項１記載の画像読取システムであって、
前記端末は、前記ＬａｎｍａｎＳｅｒｖｅｒを起動させた場合に前記ＬａｎｍａｎＳｅｒｖｅｒを起動した旨のフラグを設定し、前記スキャンジョブチケットによる処理の完了通知に応じて、前記フラグに基づいて前記ＬａｎｍａｎＳｅｒｖｅｒを停止させる画像読取システム。
【請求項３】
請求項１記載の画像読取システムであって、
前記スキャンジョブチケットは、前記起動操作を入力するための有効時間を示す有効時間情報を含み、
前記スキャンデータ格納処理部は、前記起動操作の入力時刻が前記有効時間情報に示されている有効時間内か否かを決定し、前記有効時間内である場合には、前記起動操作入力部にスキャン起動画面を表示させ、前記有効時間内でない場合には、前記スキャンジョブチケットを廃棄する画像読取システム。
【請求項４】
請求項３記載の画像読取システムであって、
前記有効時間は、前記スキャンジョブチケットの受信に応じて決定される有効期限基準時から起算される時間である画像読取システム。
【請求項５】
請求項１乃至４のいずれか１項に記載の画像読取システムであって、
前記画像読取装置は、ログイン機能を有し、ログインを許可するユーザー用のアドレス帳を格納し、ログインしているユーザーに割り当てられている利用可能なボックス用記憶領域を有する記憶部を備え、
前記スキャンジョブチケット受信部は、前記アドレス帳に登録されているユーザー情報と紐付けて前記アドレス帳に記録されているユーザーに割り当てられている利用可能なボックス用記憶領域に前記端末から受信したスキャンジョブチケットを格納し、
前記起動操作入力部は、前記ログインしたユーザーのアドレス帳に登録されているユーザー情報と紐付けられているスキャンジョブチケットを前記ログインに応じて前記ログインしたユーザーに割り当てられている利用可能なボックス用記憶領域から読み出し、前記起動操作の入力を可能とするスキャン起動画面を表示する画像読取システム。
【請求項６】
請求項１乃至５のいずれか１項に記載の画像読取システムであって、
前記端末は、前記スキャンジョブチケットを格納し、前記格納されたスキャンジョブチケットを読み出して画像読取装置に送信する画像読取システム。
【請求項７】
ネットワークを介して記憶装置に接続可能な端末と画像読取装置とを用いる画像読取方法であって、
前記端末が、画像読み取りによって生成されるスキャンデータを前記記憶装置に記憶するためのジョブの内容を格納するデータファイルであるスキャンジョブチケットを生成する工程と、
前記スキャンジョブチケットを前記端末から画像読取装置に送信する工程と、
前記画像読取装置において、前記スキャンジョブチケットを受信し、前記受信に応じて前記ジョブを起動するための起動操作の入力を受け付ける工程と、
前記画像読取装置において、前記起動操作の入力に応じて前記画像読み取りを行って前記スキャンデータを生成する工程と、
前記端末が、前記記憶装置においてＬａｎｍａｎＳｅｒｖｅｒが作動中であるか否かを確認し、前記ＬａｎｍａｎＳｅｒｖｅｒが作動中ででない場合には、前記記憶装置に前記ＬａｎｍａｎＳｅｒｖｅｒを起動させる工程と、
前記画像読取装置において生成された前記スキャンデータを、前記端末に送信する工程と、
前記端末が、前記画像読取装置から受信した前記スキャンデータを前記記憶装置に格納する工程と、
を備える画像読取方法。
【請求項８】
ネットワークを介して記憶装置に接続可能な端末と画像読取装置とを制御するための画像読取プログラムであって、
前記画像読取装置による画像読み取りによって生成されるスキャンデータを前記記憶装置に記憶するためのジョブの内容を格納するデータファイルであるスキャンジョブチケットを前記端末から受信するスキャンジョブチケット受信部、
前記受信に応じて前記ジョブを起動するための起動操作を入力する起動操作入力部、
前記起動操作の入力に応じて前記画像読み取りを行って前記スキャンデータを生成するスキャンデータ生成部、及び
前記スキャンデータを前記端末に送信するスキャンデータ格納処理部として前記画像読取装置を機能させるプログラムと、
前記スキャンジョブチケットを生成するスキャンジョブチケット生成部、及び
前記スキャンジョブチケットを前記端末から前記画像読取装置に送信するスキャンジョブチケット送信部として前記端末を機能させ、且つ
前記端末に、前記記憶装置においてＬａｎｍａｎＳｅｒｖｅｒが作動中であるか否かを確認させ、前記ＬａｎｍａｎＳｅｒｖｅｒが作動中でない場合には、前記記憶装置に前記ＬａｎｍａｎＳｅｒｖｅｒを起動させるとともに、前記画像読取装置から受信した前記スキャンデータを前記記憶装置に格納させるプログラムと、
を備える画像読取プログラム。
【発明の詳細な説明】
【技術分野】
【０００１】
本発明は、画像読取装置、画像読取方法及び画像形成プログラムに関し、特にスキャンして生成されるスキャンデータをネットワーク上の指定領域に格納する技術に関する。
【背景技術】
【０００２】
画像形成装置（たとえばプリンター、多機能プリンター、又は複合機（Ｍｕｌｔｉｆｕｎｃｔｉｏｎ  Ｐｅｒｉｐｈｅｒａｌ））では、取得したスキャンデータをネットワークに接続されている格納領域に送信する機能が提案されている。具体的には、たとえばファックスで受信したスキャンデータの取り扱いにおいて、受信したスキャンデータを複数のフォルダに振り分けて格納するための設定を簡単に行う技術が提案されている（特許文献１）。一方、アドレス帳データを参照して、ファクシミリ、電子メール、ファイル転送などの宛先を特定し、その宛先に各種データを送信する方法において、短時間で複数のユーザーの複数の属性情報を一括して登録及び取得する技術も提案されている（特許文献２）。
【先行技術文献】
【特許文献】
【０００３】
【特許文献１】特開２０１４−１９２６２１号公報
【特許文献２】特開２０１０−２８５０８号公報
【発明の概要】
【発明が解決しようとする課題】
【０００４】
しかし、画像形成装置の多機能化によって画像形成装置の操作が煩雑になるという問題が生じていた。
【０００５】
本発明は、このような状況に鑑みてなされたものであり、多機能化と操作性の向上を両立させる技術を提供することを目的とする。
【課題を解決するための手段】
【０００６】
本発明の画像形成装置は、ネットワークを介して記憶装置に接続可能である。前記画像読取装置は、前記画像読取装置による画像読み取りによって生成されるスキャンデータを前記記憶装置に記憶するためのジョブの内容を格納するデータファイルであるスキャンジョブチケットを受信するスキャンジョブチケット受信部と、前記受信に応じて前記ジョブを起動するための起動操作を入力する起動操作入力部と、前記起動操作の入力に応じて前記画像読み取りを行って前記スキャンデータを生成するスキャンデータ生成部と、前記スキャンデータを前記記憶装置に格納するスキャンデータ格納処理部とを備える。
【０００７】
本発明の画像読取システムは、前記画像読取装置と、端末とを備え、前記端末は、前記スキャンジョブチケットを生成するスキャンジョブチケット生成部と、前記スキャンジョブチケットを前記端末から前記画像読取装置に送信するスキャンジョブチケット送信部とを有する。
【０００８】
本発明の画像読取方法は、端末において、画像読み取りによって生成されるスキャンデータを記憶装置に記憶するためのジョブの内容を格納するデータファイルであるスキャンジョブチケットを生成する工程と、前記スキャンジョブチケットを前記端末から画像読取装置に送信する工程と、前記画像読取装置において、前記スキャンジョブチケットを受信し、前記受信に応じて前記ジョブを起動するための起動操作を入力する工程と、前記画像読取装置において、前記起動操作の入力に応じて前記画像読み取りを行って前記スキャンデータを生成する工程と、前記スキャンデータを前記記憶装置に格納する工程とを備える。
【０００９】
本発明の画像読取プログラムは、画像読取装置を制御する。前記画像読取プログラムは、画像読み取りによって生成されるスキャンデータを記憶装置に記憶するためのジョブの内容を格納するデータファイルであるスキャンジョブチケットを受信するスキャンジョブチケット受信部、前記受信に応じて前記ジョブを起動するための起動操作を入力する起動操作入力部、前記起動操作の入力に応じて前記画像読み取りを行って前記スキャンデータを生成するスキャンデータ生成部、及び前記スキャンデータを前記記憶装置に格納するスキャンデータ格納処理部として前記画像読取装置を機能させる。
【発明の効果】
【００１０】
本発明によれば、多機能化と操作性の向上を両立させる技術を提供することができる。
【図面の簡単な説明】
【００１１】
【図１】本発明の第１実施形態に係る画像形成システム１０の機能構成を示すブロックダイアグラムである。
【図２】第１実施形態に係るスキャンデータ格納処理の内容を示すフローチャートである。
【図３】第１実施形態に係るスキャンジョブチケット（ＳＪＴ）準備処理の内容を示すフローチャートである。
【図４】第１実施形態に係るＳＪＴ準備処理で使用されるフォルダ選択画面を示す説明図である。
【図５】第１実施形態に係るＳＪＴ送信処理の内容を示すフローチャートである。
【図６】第１実施形態に係るＳＪＴ受信処理の内容を示すフローチャートである。
【図７】第１実施形態に係る完了応答受信処理の内容を示すフローチャートである。
【図８】第１実施形態に係るスキャン起動処理の内容を示すフローチャートである。
【図９】第１実施形態に係るＳＪ完了処理の内容を示すフローチャートである。
【図１０】第２実施形態に係るスキャンデータ格納処理の内容を示すフローチャートである。
【図１１】第２実施形態に係るスキャン送信チケット（ＳＳＴ）準備処理の内容を示すフローチャートである。
【図１２】第２実施形態に係るＳＳＴ準備処理で使用されるユーザーインターフェース画面の例を示す説明図である。
【図１３】第２実施形態に係るＳＳＴ準備処理で使用されるユーザーインターフェース画面の例を示す説明図である。
【図１４】第２実施形態に係るＳＪＴ準備処理の内容を示すフローチャートである。
【図１５】第２実施形態に係るスキャンジョブ（ＳＪ）検索処理の内容を示すフローチャートである。
【図１６】第２実施形態に係るスキャンジョブ（ＳＪ）応答処理の内容を示すフローチャートである。
【発明を実施するための形態】
【００１２】
Ａ．実施形態：
以下、本発明を実施するための形態（以下、「実施形態」という）を、図面を参照して説明する。
【００１３】
図１は、本発明の第１実施形態に係る画像形成システム１０の機能構成を示すブロックダイアグラムである。画像形成システム１０は、複数の画像形成装置１００と、複数のパーソナルコンピュータ２００とを備えている。複数のパーソナルコンピュータ２００は、ネットワーク（この例では、ＬＡＮ）で複数の画像形成装置１００に接続されている。なお、画像形成システム１０は、パーソナルコンピュータ２００と画像形成装置１００とがそれぞれ１台でも構成可能である。
【００１４】
画像形成装置１００は、制御部１１０と、画像形成部１２０と、操作表示部１３０と、記憶部１４０と、通信インターフェース部１５０と、自動原稿送り装置（ＡＤＦ）１６０とを備えている。パーソナルコンピュータ２００は、制御部２１０と、操作表示部２３０と、記憶部２４０と、通信インターフェース部２５０とを備えている。
【００１５】
通信インターフェース部１５０及び通信インターフェース部２５０は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）プロトコル群を使用して通信を行う。
【００１６】
画像形成部１２０は、原稿から画像を読み取ってスキャンデータを生成する画像読取部１２１と、印刷設定に従ってスキャンデータを処理する画像処理部１２２と、処理されたスキャンデータに基づいて印刷媒体上に印刷を行う画像出力部１２３とを備えている。
【００１７】
画像形成装置１００の操作表示部１３０は、ディスプレイ１３１と、操作処理部１３２とを備えている。パーソナルコンピュータ２００の操作表示部２３０は、ディスプレイ２３１と、操作処理部２３２とを備えている。ディスプレイ１３１は、タッチパネルとして機能し、様々なメニューを入力画面として表示する。操作処理部１３２，２３２は、タッチパネルとして機能するディスプレイ１３１や各種ボタンやスイッチ（図示せず）からユーザーの操作入力を受け付ける。
【００１８】
制御部１１０，２１０は、ＲＡＭやＲＯＭ等の主記憶手段、及びＭＰＵ（Ｍｉｃｒｏ  Ｐｒｏｃｅｓｓｉｎｇ  Ｕｎｉｔ）やＣＰＵ（Ｃｅｎｔｒａｌ  Ｐｒｏｃｅｓｓｉｎｇ  Ｕｎｉｔ）等の制御手段を備えている。また、制御部１１０，２１０は、各種Ｉ／Ｏ、ＵＳＢ（ユニバーサル・シリアル・バス）、バス、その他ハードウェア等のインターフェースに関連するコントローラ機能を備え、それぞれ画像形成装置１００及びパーソナルコンピュータ２００の全体を制御する。
【００１９】
記憶部１４０，２４０は、非一時的な記録媒体であるハードディスクドライブやフラッシュメモリー等からなる記憶装置で、それぞれ制御部１１０，２１０が実行する処理の制御プログラムやデータを記憶する。記憶部１４０は、さらに、アドレス帳１４１と、ボックス用記憶領域１４２と、ユーザー情報記憶領域１４３とを備えている。ボックス用記憶領域１４２には、画像形成装置１００の各ユーザーが利用可能な記憶領域が割り当てられている。ユーザー情報記憶領域１４３には、各ユーザーの認証用パスワードその他の個人情報が格納され、アドレス帳１４１に記録されているユーザーと紐付けられている。
【００２０】
図２は、第１実施形態に係るスキャンデータ格納処理の内容を示すフローチャートである。本実施形態は、Ｗｉｎｄｏｗｓ（登録商標）プラットフォーム上で作動するクライアント用アプリケーションの一例として説明される。クライアント用アプリケーションは、Ｓｅｒｖｅｒ  Ｍｅｓｓａｇｅ  Ｂｌｏｃｋ（ＳＭＢ）を使用してスキャンデータ格納処理を実現する。ＳＭＢとは、ＬＡＮ上の複数のパーソナルコンピュータ２００でファイル共有や画像形成装置１００の共有などを行うためのプロトコルおよび通信サービスである。
【００２１】
クライアント用アプリケーションは、記憶部１４０，２４０に格納され、それぞれ制御部１１０，２１０によって実行される。パーソナルコンピュータ２００及び画像形成装置１００は、ＳＭＢプロトコルに基づいて、以下のようにＰｅｅｒ  ｔｏ  Ｐｅｅｒ方式の動作をする。
【００２２】
ステップＳ１１０では、ユーザーは、パーソナルコンピュータ２００においてＳＪＴ準備処理を実行する。ＳＪＴ準備処理は、スキャンジョブチケット（Ｓｃａｎ  Ｊｏｂ  Ｔｉｃｋｅｔ：ＳＪＴ）を準備する処理である。スキャンジョブチケットは、画像形成装置１００でスキャンして生成されたスキャンデータをパーソナルコンピュータ２００が有する記憶部２４０の所定のフォルダに格納するジョブを実行するためのデータファイルとしてのチケットである。
【００２３】
図３は、第１実施形態に係るＳＪＴ準備処理の内容を示すフローチャートである。図４は、第１実施形態に係るＳＪＴ準備処理で使用されるフォルダ選択画面を示す説明図である。ステップＳ１１１では、制御部２１０は、フォルダ選択処理を実行する。フォルダ選択処理は、スキャンデータを格納すべきフォルダを選択するための処理である。
【００２４】
ステップＳ１１２では、制御部２１０は、画像形成装置選択処理を実行する。画像形成装置選択処理は、スキャンを実行するための画像形成装置１００を選択する処理である。制御部２１０は、画像形成装置１００を選択するための図示しない画面を表示して、ユーザーによる選択を可能とする。画像形成装置の選択は、ＩＰアドレスを使用しての選択やＷＳＤ（Ｗｅｂ  Ｓｅｒｖｉｃｅｓ  ｆｏｒ  Ｄｅｖｉｃｅ）設定による選択、画像形成装置の名前での選択といった様々な方法で行うことが可能である。
【００２５】
制御部２１０は、フォルダを選択するためのユーザーインターフェース画面であるフォルダ選択画面２３１ａをディスプレイ２３１に表示させる。この例では、フォルダ選択画面２３１ａのウィンドウ２３１ｗの中のＳｃａｎｄａｔａフォルダが選択されたものとする。制御部２１０は、Ｓｃａｎｄａｔａフォルダのパスを取得する。
【００２６】
ステップＳ１１３では、制御部２１０は、スキャンジョブチケット生成部として機能し、ＳＪＴ生成処理を実行する。ＳＪＴ生成処理は、スキャンジョブチケットを生成するための処理である。スキャンジョブチケットは、たとえばＳｉｍｐｌｅ  Ｏｂｊｅｃｔ  Ａｃｃｅｓｓ  Ｐｒｏｔｏｃｏｌ（ＳＯＡＰ）メッセージとして構成することができる。スキャンジョブチケットのＳＯＡＰメッセージは、ＳＯＡＰ本体を含むＳＯＡＰエンベロープを有するデータファイルである。
【００２７】
ＳＯＡＰ本体には、パーソナルコンピュータ２００のホスト名（この例では、ｙａｍａｄａ＿ＰＣ）、Ｓｃａｎｄａｔａフォルダのパス（この例では、ｃ：ｆｉｌｅｓ：Ｓｃａｎｄａｔａ）、選択されている画像形成装置１００、有効時間Ｐｖ、スキャン時の各種設定を表す情報及びユーザー情報が含まれる。スキャン時の各種設定には、カラー又はモノクロの選択や解像度の設定、データの種類（ｊｐｇやｐｄｆ等）の選択といった設定が含まれる。ユーザー情報は、画像形成装置１００のアドレス帳１４１に登録されている情報である。これらの情報は、図示しないユーザーインターフェース画面によって入力される。
【００２８】
有効時間Ｐｖは、有効時間情報とも呼ばれ、たとえば以下のような設定が可能である。
（１）日時範囲設定は、有効時間Ｐｖの始期と終期の日時を設定する方法である。具体的には、日時範囲設定は、たとえば２０１５年１０月１０日午後１時００分から同日の午後５時００分とする設定である。
（２）制限時間設定は、有効時間Ｐｖの始期からの制限時間を設定する方法である。具体的には、制限時間設定は、たとえば画像形成装置１００によるＳＪＴ受信完了時刻ｔ１（後述）を始期として起算され、３０分間とする設定である。
なお、この例では、有効時間Ｐｖが制限時間を３０分とする制限時間設定であるとして説明する。
【００２９】
ステップＳ１１４では、制御部２１０は、ユーザーの選択に応じてスキャンジョブチケットの送信又は保存（ステップＳ１１５）を実行することができる。スキャンジョブチケットの送信先は、本実施形態では、画像形成装置１００である。ユーザーは、保存されたスキャンジョブチケットを読み出していつでも使用することができる。
【００３０】
ステップＳ１２０（図２参照）では、制御部２１０は、ＳＪＴ送信処理を実行する。ＳＪＴ送信処理は、パーソナルコンピュータ２００が画像形成装置１００にスキャンジョブチケットを送信し、画像形成装置１００によるスキャンジョブチケットの受信を確認するまでの処理である。このように、制御部２１０及び通信インターフェース部２５０は、スキャンジョブチケット送信部として機能する。
【００３１】
図５は、第１実施形態に係るＳＪＴ送信処理の内容を示すフローチャートである。ステップＳ１２１では、制御部２１０は、ファイル共有機能が作動中であるか否かを確認する。具体的には、制御部２１０は、Ｗｉｎｄｏｗｓ（登録商標）プラットフォーム上のファイル共有やプリンター共有の機能等に使用されるサービスであるＬａｎｍａｎＳｅｒｖｅｒ（ＬＡＮ  Ｍａｎａｇｅｒ  Ｓｅｒｖｅｒ）が作動中であるか否かを確認する。
【００３２】
制御部２１０は、ＬａｎｍａｎＳｅｒｖｅｒが作動中でない場合には、処理をステップＳ１２２に進め、ＬａｎｍａｎＳｅｒｖｅｒが作動中である場合には、処理をステップＳ１２４に進める。ステップＳ１２２では、制御部２１０は、ＬａｎｍａｎＳｅｒｖｅｒを起動させる。
【００３３】
ステップＳ１２３では、制御部２１０は、ＬａｎｍａｎＳｅｒｖｅｒを起動した旨のフラグを設定する。このフラグは、スキャンジョブチケットによる全ての処理が完了後に元の状態（ＬａｎｍａｎＳｅｒｖｅｒが非作動状態）に戻すために使用される。
【００３４】
ステップＳ１２４では、制御部２１０は、フォルダ共有設定処理を行う。フォルダ共有設定処理は、特定の相手として画像形成装置１００に対してフォルダへの書き込みを許可するための処理である。フォルダ共有設定処理は、Ｓｃａｎｄａｔａフォルダに対し、たとえばＮｅｔ  Ｓｈａｒｅコマンドで「／ｇｒａｎｔ」パラメータを使用して行われる。フォルダ共有設定処理は、スキャンジョブチケットに格納されているＳｃａｎｄａｔａフォルダを特定するパスを使用して実行される。
【００３５】
ステップＳ１２５では、制御部２１０は、通信インターフェース部２５０を使用してステップＳ１１２で選択された画像形成装置１００に接続する。ステップＳ１２６では、パーソナルコンピュータ２００は、ＳＯＡＰメッセージとして構成されているスキャンジョブチケットを画像形成装置１００に送信する。
【００３６】
ステップＳ１２７では、パーソナルコンピュータ２００は、画像形成装置１００からの完了応答受信処理を実行する。完了応答受信処理は、画像形成装置１００がスキャンジョブチケットの受領を完了した旨の通信を受信し、本受信に応じて実行される処理である。ステップＳ１２８では、パーソナルコンピュータ２００は、受領完了応答の受信に応じて画像形成装置１００との通信を切断する。なお、完了応答受信処理の内容の詳細については後述する。
【００３７】
図６は、第１実施形態に係るＳＪＴ受信処理の内容を示すフローチャートである。ステップＳ２１０では、制御部１１０は、通信インターフェース部１５０を使用してＳＪＴ受信処理を実行する。ＳＪＴ受信処理は、ＳＪＴ送信処理と並行して同時に実行され、画像形成装置１００がスキャンジョブチケット（ＳＪＴ）を受信してユーザーによる入力を受け付ける状態となるまでの処理である。このように、制御部１１０及び通信インターフェース部１５０は、スキャンジョブチケット受信部として機能する。
【００３８】
ステップＳ２１１では、画像形成装置１００は、スキャンジョブチケット（ＳＪＴ）を受信する。ステップＳ２１２では、制御部１１０は、ＳＪＴ保存処理を実行する。ＳＪＴ保存処理は、スキャンジョブチケットに含まれているユーザー情報を使用してアドレス帳１４１に登録されているユーザーからのジョブであることを確認し、スキャンジョブチケットを保存する処理である。スキャンジョブチケットの保存は、たとえばアドレス帳１４１や外部のユーザー管理データベースといった画像形成装置１００の内外のデータに登録されているユーザー情報と紐付けて記憶部１４０に格納する処理である。
【００３９】
ステップＳ２１３では、制御部１１０は、ＳＪＴ受領応答処理を実行する。ＳＪＴ受領応答処理は、スキャンジョブチケットが画像形成装置１００で受領された旨を受領時の時刻ｔ１を表す有効時間情報とともにパーソナルコンピュータ２００に返送する処理である。パーソナルコンピュータ２００は、ＳＪＴ受領応答処理に応じて完了応答受信処理（ステップＳ１２７）を実行する。
【００４０】
図７は、第１実施形態に係る完了応答受信処理の内容を示すフローチャートである。ステップＳ１２７１では、パーソナルコンピュータ２００は、画像形成装置１００からのＳＪＴ受領応答処理による通信メッセージ（たとえばＳＯＡＰメッセージ）から受領時刻ｔ１を取得する。受領時刻は、ＳＪＴ受信完了時刻とも呼ばれる。
【００４１】
ステップＳ１２７２では、制御部２１０は、有効期限を確認する。具体的には、スキャンジョブチケットに含まれている有効時間Ｐｖが日時範囲設定と制限時間設定のいずれであるかを決定する。日時範囲設定の場合には、処理がステップＳ１２８（図５参照）に進められ、制限時間設定の場合には、処理がステップＳ１２７３に進められる。この例では、有効時間Ｐｖが制限時間を３０分とする制限時間設定であるとしている。
【００４２】
ステップＳ１２７３では、制御部２１０は、有効期限基準時設定処理を実行する。有効期限基準時設定処理は、スキャンジョブチケットに基づいて有効期限基準時を設定する処理であり、有効時間の始期として有効期限基準時をＳＪＴ受信完了時刻ｔ１に設定する。ステップＳ１２７４では、制御部２１０は、有効期限設定更新処理を実行する。有効期限設定更新処理は、スキャンジョブチケットの有効期限を更新する処理であり、この例では、ＳＪＴ受信完了時刻ｔ１から３０分間となる。
【００４３】
ステップＳ２２０（図２参照）では、制御部１１０は、スキャン起動処理を実行する。スキャン起動処理は、画像形成装置１００へのユーザー入力に応じてスキャン動作を起動する処理である。ユーザー入力は、起動操作とも呼ばれる。ユーザー入力の時刻は、入力時刻（時刻ｔ２）とも呼ばれる。
【００４４】
図８は、第１実施形態に係るスキャン起動処理の内容を示すフローチャートである。ステップＳ２２１では、ユーザーは、画像形成装置１００にログインする。制御部１１０は、ログインに応じて、ログインしたユーザーのアドレス帳１４１に登録されているユーザー情報と紐付けられているスキャンジョブチケットを読み出す。
【００４５】
ステップＳ２２２では、制御部１１０は、スキャンジョブチケット（ＳＪＴ）の有効性を確認する。スキャンジョブチケット（ＳＪＴ）の有効性は、この例では、前述のように受領完了応答時のＳＪＴ受信完了時刻ｔ１（ステップＳ２１３参照）から予め設定されている制限時間内であるか否かに基づいて決定される。すなわち、制御部１１０は、スキャンジョブチケットの受領が完了してからユーザーがログイン時（時刻ｔ２）までの時間が制限時間内である場合にスキャンジョブチケットを有効としている。なお、制限時間内であるか否かの判断の基準時として、ログイン時（時刻ｔ２）の代わりに起動操作（ステップＳ２２０）を採用してもよく、ログイン時（時刻ｔ２）も起動操作の入力時刻に含まれる概念である。
【００４６】
具体的には、受領完了応答時のＳＪＴ受信完了時刻ｔ１が２０１５年１０月１０日午後３時１５分で、予め設定されている時間が３０分であると仮定すると、２０１５年１０月１０日午後３時４５分までにログインすると有効であると決定される。一方、２０１５年１０月１０日午後３時４５分より後にログインすると無効と決定され、スキャンジョブチケットが廃棄される（ステップＳ２２３）。
【００４７】
ステップＳ２２４では、制御部１１０は、ディスプレイ１３１にスキャン起動画面（図示せず）を初期画面として表示させる。スキャン起動画面には、スキャン起動画面がスキャンジョブチケットによって表示されている画面であることと、スキャン時の設定や保存先が示される。ユーザーは、たとえばＡＤＦ１６０に原稿をセットし、ＯＫボタン（図示せず）をタッチすることによってスキャンを開始することができる。
【００４８】
ステップＳ２３０（図２参照）では、制御部１１０は、画像読取部１２１にスキャンを実行させ、スキャンデータを生成する。スキャンは、スキャンジョブチケットに含まれているスキャン時の各種設定を表す情報に基づいて実行される。各種設定には、カラー又はモノクロの選択や解像度の設定、データの種類（ｊｐｇやｐｄｆ等）の選択といった設定が含まれる。このように、制御部１１０及び画像読取部１２１は、スキャンデータ生成部として機能している。
【００４９】
ステップＳ２４０では、制御部１１０は、スキャンデータを含むスキャンジョブをパーソナルコンピュータ２００に送信する。このように、制御部１１０は、スキャンデータ格納処理部として機能している。
【００５０】
ステップＳ１３０では、パーソナルコンピュータ２００は、スキャンジョブを受信し、スキャンデータを予め選択されているＳｃａｎｄａｔａフォルダに格納する。これにより、ユーザーは、所望のスキャンデータを所望のフォルダに格納することができる。
【００５１】
ステップＳ１４０（図２参照）では、制御部２１０は、ＳＪ完了処理を実行する。ＳＪ完了処理は、スキャンジョブチケットの処理で必要とされるフォルダ共有設定やＬａｎｍａｎＳｅｒｖｅｒの作動といったＬＡＮの状態をスキャンジョブチケットの処理前の状態に戻す処理である。
【００５２】
これにより、画像形成システム１０は、フォルダ共有の状態をスキャンジョブチケットの処理で必要とされる時間に限定することができるので、フォルダ共有が放置されることよるパーソナルコンピュータ２００のセキュリティの低下を抑制することができる。画像形成システム１０は、さらにＬａｎｍａｎＳｅｒｖｅｒの作動といったＬＡＮの状態をスキャンジョブチケットの処理前の状態に戻すことができるので、本システムへの影響を抑制することができる。
【００５３】
なお、制御部２１０は、たとえば以下の場合にもＳＪ完了処理（ステップＳ１４０）を実行し、エラー表示（図示せず）をディスプレイ２３１に表示する。
（１）ＳＪＴ送信処理（ステップＳ１２０）の異常終了
（２）スキャンジョブチケットの廃棄（ステップＳ２２３）
【００５４】
図９は、第１実施形態に係るＳＪ完了処理の内容を示すフローチャートである。ステップＳ１４１では、制御部２１０は、フォルダ非共有設定処理を実行する。フォルダ非共有設定処理は、フォルダ共有設定処理（ステップＳ１２４）で共有設定とされているＳｃａｎｄａｔａフォルダを非共有設定に戻す処理である。
【００５５】
フォルダ非共有設定処理は、Ｓｃａｎｄａｔａフォルダに対し、たとえばＮｅｔ  Ｓｈａｒｅコマンドで「／ｄｅｌｅｔｅ」パラメータを使用して行われる。フォルダ非共有設定処理は、スキャンジョブチケットに格納されているＳｃａｎｄａｔａフォルダを特定するパスを使用して実行される。
【００５６】
ステップＳ１４２では、制御部２１０は、スキャンジョブチケットの処理によってＬａｎｍａｎＳｅｒｖｅｒが起動されたか否かを決定する。ＬａｎｍａｎＳｅｒｖｅｒが起動されたか否かは、ステップＳ１２２におけるＬａｎｍａｎＳｅｒｖｅｒを起動した旨のフラグの設定の有無に応じて行われる。制御部２１０は、フラグが設定されている場合には、ＬａｎｍａｎＳｅｒｖｅｒを停止する（ステップＳ１４３）。
【００５７】
ステップＳ１４４では、制御部２１０は、スキャンジョブ（ＳＪ）完了通知処理を実行する。ＳＪ完了通知処理は、スキャンジョブチケットによる処理が全て完了した旨を画像形成装置１００に送信する処理である。このように、ＳＪ完了処理は、スキャンジョブチケットの処理で必要とされるフォルダ共有設定やＬａｎｍａｎＳｅｒｖｅｒの作動といったＬＡＮの状態をスキャンジョブチケットの処理前の状態に戻すことができる。
【００５８】
ステップＳ２５０（図２参照）では、制御部１１０は、ＳＪ完了表示を実行する。ＳＪ完了表示は、スキャンジョブチケットによる処理が全て完了した旨を画像形成装置１００のディスプレイ１３１に表示する処理である。これにより、スキャンデータがパーソナルコンピュータ２００のＳｃａｎｄａｔａフォルダに格納されたことを確認した上で、ユーザーは、画像形成装置１００から離れることができる。
【００５９】
このように、第１実施形態に係る画像形成システム１０によれば、画像形成装置１００において時間を要する設定操作を行うことなく、原稿をスキャンしてスキャンデータを生成し、指定の格納領域のアクセス許可を取得し、スキャンデータを保存するという一連のジョブを実現することができる。これにより、画像形成装置１００に対して複雑な処理を行わせつつ操作性を向上させ、ひいては運用効率も向上させる事ができる。
Ｂ．第２実施形態：
【００６０】
図１０は、第２実施形態に係るスキャンデータ格納処理の内容を示すフローチャートである。第２実施形態に係るスキャンデータ格納処理は、第１実施形態と同一のハードウェア構成によって実現することができる。
【００６１】
ステップＳ３１０では、ユーザーは、画像形成装置１００においてＳＳＴ準備処理を実行する。ＳＳＴ準備処理は、スキャン送信チケット（Ｓｃａｎ  Ｓｅｎｄ  Ｔｉｃｋｅｔ：ＳＳＴ）を準備する処理である。スキャン送信チケットは、スキャンジョブチケットの受信に応じて、予め取得済みのスキャンデータをパーソナルコンピュータ２００が有する記憶部２４０の所定のフォルダに格納するジョブを実行するためのデータファイルとしてのチケットである。
【００６２】
図１１は、第２実施形態に係るスキャン送信チケット（ＳＳＴ）準備処理の内容を示すフローチャートである。図１２及び図１３は、第２実施形態に係るＳＳＴ準備処理で使用されるユーザーインターフェース画面１３１ａ〜１３１ｅを示す説明図である。制御部１１０は、初期画面としてホーム画面１３１ａをディスプレイ１３１に表示させている。ホーム画面１３１ａでは、送信機能を選択することができる。制御部１１０は、ユーザーによる送信機能の選択に応じて送信画面１３１ｂをディスプレイ１３１に表示させる。
【００６３】
ステップＳ３１１では、ユーザーは、送信画面１３１ｂにおいてＳＳＴ生成起動操作を行うことができる。ＳＳＴ生成起動操作は、画像形成装置１００にスキャン送信チケットの生成を開始させるための操作である。ＳＳＴ生成起動操作は、スキャン送信チケットアイコン１３５ｂをタッチすることによって行うことができる。
【００６４】
ステップＳ３１２では、制御部１１０は、画像形成装置１００がログイン済みか否かを判断する。第２実施形態に係るスキャンデータ格納処理は、後述のようにユーザー認証を必要とする処理だからである。ログイン済みの場合には、処理がステップＳ３１４に進められ、ログイン済みでない場合には、処理がステップＳ３１３に進められる。ステップＳ３１３では、制御部１１０は、ログインのためのユーザー情報を問い合わせるスキャン送信チケット設定画面１３１ｃをディスプレイ１３１に表示させる。
【００６５】
ステップＳ３１３では、制御部１１０は、ユーザー情報タブ１３７ｃを有するスキャン送信チケット設定画面１３１ｃをディスプレイ１３１に表示させている。ユーザーは、ログインのためのユーザー情報（ユーザー名とパスワード）をユーザー名フィールド１３７ｄと、パスワードフィールド１３７ｅとに入力し、ＯＫアイコン１３７ｆを押すことによって画像形成装置１００にログインすることができる。制御部１１０は、ユーザー情報記憶領域１４３から読み出されたユーザー名と、パスワードとを使用してログインに必要な認証を行うことができる。
【００６６】
制御部１１０は、ログインに応じてユーザー設定タブ１３８ｄを有するスキャン送信チケット設定画面１３１ｄをディスプレイ１３１に表示させる。ユーザーは、ユーザー設定タブ１３８ｄにおいてスキャン送信チケットの有効時間を設定することができる。ユーザーは、ラジオボタン１３８ｇにおいて「ＯＮ」を選択し、有効時間フィールド１３８ｅに数値を入力し、ＯＫアイコン１３８ｆを押すことによって任意の有効時間を設定することができる。この例では、有効時間は、当日の午前１２時から午後４時に設定されている。
【００６７】
制御部１１０は、ＯＫアイコン１３８ｆのタッチに応じてスキャン送信チケット設定画面１３１ｄから送信画面１３１ｅにユーザーインターフェース画面を遷移させる。送信画面１３１ｅには、スキャン送信チケット（ＳＳＴ）が自動的に新規作成されている。スキャン送信チケットには、ログインしたユーザーのユーザー名とユーザーが使用するＰＣのホスト名とが予め登録されている。ユーザー名とＰＣのホスト名は、ユーザー情報記憶領域１４３から読み出されたデータである。
【００６８】
ステップＳ３１４では、制御部１１０は、スキャン送信チケット（ＳＳＴ）生成処理を実行する。ＳＳＴ生成処理は、スキャン送信チケットを生成する処理である。スキャン送信チケットは、たとえばＳｉｍｐｌｅ  Ｏｂｊｅｃｔ  Ａｃｃｅｓｓ  Ｐｒｏｔｏｃｏｌ（ＳＯＡＰ）メッセージとして構成することができる。スキャン送信チケットのＳＯＡＰメッセージは、ＳＯＡＰ本体を含むＳＯＡＰエンベロープを有するデータファイルである。この点では、スキャン送信チケットの生成は、スキャンジョブチケットの生成と同様である。このように、制御部１１０は、スキャン送信チケット生成部として機能している。
【００６９】
ＳＯＡＰ本体には、画像形成装置１００のホスト名（又はＩＰアドレス）、有効時間Ｐｖ、スキャン時の各種設定を表す情報及びユーザー情報が含まれる。スキャン時の各種設定には、カラー又はモノクロの選択や解像度の設定、データの種類（ｊｐｇやｐｄｆ等）の選択といった設定が含まれる。ユーザー情報は、画像形成装置１００のユーザー情報記憶領域１４３に格納されている情報である。スキャン送信チケットの生成が完了すると、処理がステップＳ３２０（図１０参照）に進められる。
【００７０】
ステップＳ３２０では、ユーザーは、たとえばＡＤＦ１６０に原稿をセットし、スキャンアイコン１３６ｅをタッチすることによってスキャンを開始することができる。このスキャンによって生成されたスキャンデータは、自動的に上述のスキャン送信チケットに紐付けされる。
【００７１】
ステップＳ３３０では、制御部１１０は、スキャンジョブ保存処理を実行する。スキャンジョブ保存処理は、スキャン送信チケットと、スキャン送信チケットに紐付けられたスキャンデータとをログインしているユーザーに割り当てられている利用可能なボックス用記憶領域１４２内の記憶領域に保存する処理である。
【００７２】
図１４は、第２実施形態に係るＳＪＴ準備処理の内容を示すフローチャートである。ステップＳ４１０では、ユーザーは、パーソナルコンピュータ２００においてＳＪＴ準備処理を実行する。ＳＪＴ準備処理は、基本的にステップＳ１１０（図２及び図３参照）におけるスキャンジョブチケット（Ｓｃａｎ  Ｊｏｂ  Ｔｉｃｋｅｔ：ＳＪＴ）準備処理と同様である。ただし、ステップＳ４１０のＳＪＴ準備処理は、画像形成装置選択処理（ステップＳ１１２）がＳＪＴ検索設定処理（Ｓ４１２）に変更されている点でステップＳ１１０のＳＪＴ準備処理と相違する。
【００７３】
なお、画像形成装置選択処理（ステップＳ１１２）は、画像形成装置が予め選択されるものではなくブロードキャストによる検索対象となるため削除されている。ＳＪＴ検索設定処理（Ｓ４１２）の内容については後述する。
【００７４】
ステップＳ４２０（図１０及び図１５参照）では、制御部２１０は、スキャンジョブ（ＳＪ）検索処理を実行する。ＳＪ検索処理は、ネットワークに接続されている複数の画像形成装置１００にスキャンジョブチケットをブロードキャスト送信し、スキャンジョブチケットに対応するスキャン送信チケットを検索する処理である。
【００７５】
図１５は、第２実施形態に係るＳＪ検索処理の内容を示すフローチャートである。ＳＪ検索処理は、ステップＳ１２１乃至ステップＳ１２４の処理において、ＳＪＴ送信処理（図５のステップＳ１２０）と同一である。ただし、フォルダ共有設定処理（ステップＳ１２４）の後に、ブロードキャスト送信（ステップＳ４２５）が実行される点でＳＪＴ送信処理（ステップＳ１２０）と相違する。
【００７６】
ステップＳ４２５では、パーソナルコンピュータ２００は、ブロードキャスト送信を実行する（図１０参照）。ブロードキャスト送信は、パーソナルコンピュータ２００が接続されているネットワークに接続されているすべてのネットワーク端末（ノード）にスキャンジョブチケットを送信することを意味する。これに応じて、ステップＳ３４０では、ネットワーク端末である複数の画像形成装置１００は、スキャンジョブ（ＳＪ）応答処理を実行する。
【００７７】
図１６は、第２実施形態に係るＳＪ応答処理の内容を示すフローチャートである。ステップＳ３４１では、複数の画像形成装置１００は、いずれもブロードキャストを受信する。ステップＳ３４２では、複数の画像形成装置１００の制御部１１０は、スキャンジョブチケットとスキャン送信チケットの認証情報（ユーザー名とパスワード）を比較する。認証情報が合致しない場合には、処理がステップＳ３４５に進められ、認証情報が合致する場合には、処理がステップＳ３４３に進められる。このように、制御部１１０は、認証部として機能している。
【００７８】
ステップＳ３４３では、制御部１１０は、ＳＳＴ有効性確認処理を実行する。ＳＳＴ有効性確認処理とは、たとえば認証情報が合致した時刻がスキャン送信チケットの有効時間内であるか否かを確認する処理である。有効時間内である場合には、処理がステップＳ３４４に進められ、有効時間内でない場合には、処理がステップＳ３４５に進められる。
【００７９】
ステップＳ３４４では、制御部１１０は、スキャンジョブ又はスキャン送信チケットをブロードキャスト送信の送信元に返信する。制御部１１０は、スキャンジョブチケット内のＳＪＴ検索設定に基づいてスキャンジョブとスキャン送信チケットのいずれかを返信する。ＳＪＴ検索設定処理（図１４のステップＳ４１２）では、ユーザーは、以下のうちのいずれか１つの方法を設定することができる。
（１）複数の画像形成装置１００から直ちにスキャンデータを受信する。
（２）認証情報が合致するスキャン送信チケットを返信させて、この中から受信対象のスキャンデータを選択し、選択されたスキャンデータのみを受信する。
この例では、後者（２）が選択されているものとする。
【００８０】
ステップＳ３４５では、制御部１１０は、スキャンジョブチケット及びスキャン送信チケットを廃棄する。
【００８１】
ステップＳ４３０（図１０参照）では、制御部２１０は、スキャンジョブ（ＳＪ）要求処理を実行する。ＳＪ要求処理では、制御部２１０は、複数の画像形成装置１００から少なくとも１つのスキャン送信チケットを受信し、スキャン送信チケットのリストをディスプレイ２３１に表示する。ユーザーは、スキャン送信チケットのリストから受信対象のスキャン送信チケットを選択する。制御部２１０は、選択されたスキャン送信チケットに紐付けられているスキャンデータを該当する画像形成装置１００に要求する。
【００８２】
なお、スキャンデータの選択は、スキャン送信チケット毎の選択としてもよし、スキャン送信チケットに紐づけられている複数のスキャンデータの中から選択できるようにしてもよい。制御部２１０は、スキャンデータの要求の際に、スキャン送信チケットあるいはスキャンデータを特定する情報を、スキャン送信チケットを返信した画像形成装置１００に送信する。
【００８３】
ステップＳ３５０では、制御部１１０は、特定されたスキャン送信チケットに紐付けられたスキャンデータあるいは直接特定されたスキャンデータを含むスキャンジョブをパーソナルコンピュータ２００に送信する。このように、制御部１１０は、スキャンデータ格納処理部として機能している。
【００８４】
ステップＳ４４０（図１０参照）では、制御部２１０は、スキャンジョブ（ＳＪ）受信処理を実行する。ＳＪ受信処理では、ステップＳ１３０のＳＪ受信処理と同様に、パーソナルコンピュータ２００は、スキャンジョブを受信し、スキャンデータを予め選択されているＳｃａｎｄａｔａフォルダに格納する。これにより、ユーザーは、所望のスキャンデータを所望のフォルダに格納することができる。なお、ＳＪ完了処理（ステップＳ４５０）は、ＳＪ完了処理（ステップＳ１４０）と同一内容の処理である。
【００８５】
ステップＳ３６０では、画像形成装置１００は、ＳＪ完了処理を実行する。ＳＪ完了処理は、ボックス用記憶領域１４２から送信済みのスキャンデータとスキャン送信チケットとを削除する処理である。これにより、ボックス用記憶領域１４２の無駄な使用を排除してボックス用記憶領域１４２を効率的に利用することができる。ただし、送信済みのスキャンデータを削除しないような設定も可能である。
【００８６】
このように、第２実施形態に係る画像形成システム１０によれば、画像形成装置１００のボックス用記憶領域１４２を利用し、原稿をスキャンしてスキャンデータに制御用データファイル（スキャン送信チケット）を紐づけて格納することができる。ユーザーは、パーソナルコンピュータ２００からスキャンジョブチケットをブロードキャスト送信するだけで、認証情報が一致するスキャン送信チケットに紐づけられたスキャンジョブをボックス用記憶領域１４２から所望の格納領域にダウンロードすることができる。これにより、画像形成装置１００に対して複雑な処理を行わせつつ操作性を向上させ、ひいては画像形成装置１００の運用効率も向上させる事ができる。
Ｃ．変形例：
【００８７】
本発明は、上記各実施形態だけでなく、以下のような変形例でも実施することができる。
【００８８】
変形例１：第１実施形態では、スキャンジョブチケットによるジョブの処理に何ら権限の確認が行われていないが、たとえばスキャンジョブチケットによるジョブの処理を認めるか否かの情報をアドレス帳に登録するようにしてもよい。本構成によれば、アドレス帳において登録されたユーザーにのみスキャンジョブチケットによるジョブの処理を許可するようにできる。
【００８９】
変形例２：第１実施形態では、ログインに応じてスキャンジョブチケットによるジョブの処理が実行可能とされているが、必ずしもログイン機能を使用しなくてもよい。具体的には、たとえばスキャンジョブチケットによるジョブの処理においてパスワードを要求するようにしてもよい。
【００９０】
変形例３：第２実施形態では、ログインに応じてスキャンジョブチケットによるジョブの処理が実行可能とされているが、必ずしもログイン機能を使用しなくてもよい。具体的には、たとえばボックス用記憶領域１４２にゲスト用の記憶領域を一時的に確保し、スキャン送信チケットとスキャンジョブチケットの生成時にそれぞれユーザー情報（たとえばユーザー名とパスワード入力）を要求し、スキャン送信チケットとスキャンジョブチケットのユーザー情報の一致に基づいて認証するように構成してもよい。
【００９１】
変形例４：第２実施形態のＳＪ要求処理（図１０のステップＳ４３０）では、制御部２１０は、スキャン送信チケットあるいはスキャンデータを特定する情報を送信し、スキャンデータを取得するように構成されているが、これに限られない。スキャン送信チケットあるいはスキャンデータを特定する情報を送信し、これらの削除或いは別の画像形成装置への転送といった他のジョブを実行するように制御部２１０を構成してもよい。この場合、削除や転送といったジョブの内容は、スキャン送信チケットとスキャンジョブチケットのいずれに含んでもよいが、スキャンジョブチケットに含むことを可能に構成すればパーソナルコンピュータ側で自由に設定可能なので利便性を高めることができる。
【００９２】
変形例５：上述の各実施例では、ユーザーが設定可能な有効時間が利用されているが、たとえば画像形成装置等の記憶領域の管理の要請から管理者のみが設定可能な存続期間（寿命）を設定するようにしてもよい。存続期間は、たとえば画像形成装置等の記憶領域の使用開始から一定期間とすることができる。記憶領域は、画像形成装置内の記憶領域だけでなく、たとえばネットワークに接続されたハードディスクやサーバー、クラウドといった様々な構成が適用可能である。記憶領域には、スキャンジョブチケット、スキャン送信チケット、及びスキャンデータといった本発明に必要なデータが記憶可能である。
【００９３】
変形例６：上述の各実施形態では、ＬＡＮで接続されているパーソナルコンピュータと画像形成装置とで画像読取システムが構成されているが、必ずしもパーソナルコンピュータと画像形成装置とで画像読取システムを構成する必要はない。具体的には、たとえば画像形成装置の代わりに画像読取装置を使用してもよい。さらに、スマートフォンやタブレットと、画像形成装置とをＢＬＵＥＴＯＯＴＨ（登録商標）のような無線通信で接続して画像読取システムを構成してもよい。この場合には、スキャンの起動のためのユーザーインターフェース（起動操作入力部）は、スマートフォンやタブレットと、画像形成装置とのいずれで提供してもよい。
【００９４】
変形例７：上述の各実施形態では、パーソナルコンピュータがスキャンジョブチケットを生成・送信し、パーソナルコンピュータの記憶領域にスキャンデータが格納されているが、必ずしもスキャンジョブチケットを生成・送信する端末の記録領域にスキャンデータを格納する必要はない。具体的には、たとえばパーソナルコンピュータが書き込み権限を有しているサーバーコンピュータに格納することを内容とするスキャンジョブチケットを生成・実行してもよい。
【００９５】
変形例８：上述の各実施形態では、パーソナルコンピュータが使用されているが、本発明は、画像形成装置との通信が可能であればノートＰＣやタブレットといった携帯端末に適用可能である。通信には、有線通信と無線通信とが含まれる。
【符号の説明】
【００９６】
１０  画像形成システム
１００  画像形成装置
１１０，２１０  制御部
１２０  画像形成部
１２１  画像読取部
１２２  画像処理部
１２３  画像出力部
１３０，２３０  操作表示部
１３１  ディスプレイ
１３２，２３２  操作処理部
１４０，２４０  記憶部
１４１  アドレス帳
１４２  ボックス用記憶領域
１４３  ユーザー情報記憶領域
１５０，２５０  通信インターフェース部
２００  パーソナルコンピュータ
【図１】
0006669992.tif 000002
【図２】
0006669992.tif 000003
【図３】
0006669992.tif 000004
【図４】
0006669992.tif 000005
【図５】
0006669992.tif 000006
【図６】
0006669992.tif 000007
【図７】
0006669992.tif 000008
【図８】
0006669992.tif 000009
【図９】
0006669992.tif 000010
【図１０】
0006669992.tif 000011
【図１１】
0006669992.tif 000012
【図１２】
0006669992.tif 000013
【図１３】
0006669992.tif 000014
【図１４】
0006669992.tif 000015
【図１５】
0006669992.tif 000016
【図１６】
0006669992.tif 000017